(57)【要約】【課題】  コンクリート打設用の組立式型枠に取り付けでき、接続具の収納及び取り出しが容易な収納治具を提供すること【解決手段】  接続具によってシェルを組み立てて形成する、コンクリート打設用の組立式型枠に取り付ける治具であって、取付部と、収納部とより構成し、前記取付部は、型枠に取り付けるための開孔を開設し、前記収納部は、接続具の大きさに対応する収納穴を開設することを特徴とする収納治具を提供する。【選択図】  図１
0003112054.tif 000002
【実用新案登録請求の範囲】
【請求項１】
接続具によってシェルを組み立てて形成する、コンクリート打設用の組立式型枠に取り付ける治具であって、
取付部と、収納部とより構成し、
前記取付部は、型枠に取り付けるための開孔を開設し、
前記収納部は、接続具の大きさに対応する収納穴を開設することを特徴とする、
収納治具。
【請求項２】
請求項１に記載の収納治具であって、
前記接続具には、
ボルトナットと、テーパーピンと、コッターピンと、からなる３種の接続具のうち、少なくとも一種を用いるものとし、
前記収納部には、
ボルトの螺子部に螺合可能な雌螺子穴であるボルトナット収納穴と、
テーパーピンの最大径よりも小さい穴径とし、係合可能なテーパーピン収納穴と、
コッターピンの最大径よりも小さい穴径とし、係合可能なコッターピン収納穴と、からなる３種の収納穴のうち、少なくとも一種を有することを特徴とする、収納治具。
【請求項３】
請求項２に記載の収納治具において、テーパーピン収納穴の近傍に蓋部を有し、
前記蓋部の一端には、収納部と回動自在に取り付ける回転軸を設け、
前記蓋部の他端と前記収納部には、雌螺孔を設け、
前記収納部と前記蓋部の間には、テーパーピンを前記テーパーピン収納穴に収納した際に前記テーパーピン収納穴から露出する部分の高さと略同等の間隔を設け、
前記テーパーピンを収納後、前記蓋部と前記収納部の互いの雌螺孔をあわせて螺子によって螺合し、テーパーピンの抜出を防止することを特徴とする、収納治具。
【請求項４】
請求項１から３のいずれかに記載の収納治具を取り付けた、コンクリート打設用の組立式の型枠。
【考案の詳細な説明】
【技術分野】
【０００１】
本考案は、コンクリート打設用の組立式型枠に取り付け可能で、ボルト、ナット、ピンなどの収納及び取り出しが容易な、収納治具に関するものである。
【背景技術】
【０００２】
大型消波ブロックの製造に当たっては、同型で互換性型枠である鋼製のシェルをボルト、ナット、ピンなどの公知の接続具（以下、接続具とする）で組み立てて型枠を形成し、前記型枠内部にＮＡコンクリートを打設し、養生して大型消波ブロックを形成した後、型枠の接続具を取り外して脱枠し、大型消波ブロック転置を行う作業工程が主流である。
【０００３】
上記の接続具は、型枠のサイズが大きければ大きいほど、その組立、脱枠作業に用いる本数も多く、接続具自体の大きさ、重量も大きく、取り扱いが煩わしい。
【０００４】
上記の型枠の組立作業における、接続具の従来の取り扱い方法は、地上部から作業場へ昇降階段を使用して人力により運搬する必要があり、脱枠作業においても、取り外した接続具を足場に置いておくか、或いは、作業場から地上部へ、再度昇降階段を使用して人力により運搬するものであった。
【考案の開示】
【考案が解決しようとする課題】
【０００５】
しかし、従来の接続具の取り扱い方法では、以下のような問題があった。
＜１＞足場に置いていた接続具は落下するおそれがあり、作業員に危険が生じる可能性があり、安全面の管理が困難であった。
＜２＞足場に接続具を置いていても、置き場所が定まらないため、接続具の散乱、紛失、破損のおそれがあり、接続具を探す作業や、紛失した接続具の補充など、工期、工費両面から多くの無駄が生じていた。
＜３＞型枠のサイズが大きければ大きいほど、その作業に用いる接続具の本数も多く、加えて接続具単体の大きさ、重量も大きいため、作業員にとって運搬作業は身体的な負担が大きく、腰痛などの職業病の要因を引き起こしていた。
【課題を解決するための手段】
【０００６】
そこで、本願の第１考案は、接続具によってシェルを組み立てて形成する、コンクリート打設用の組立式型枠に取り付ける治具であって、取付部と、収納部とより構成し、前記取付部は、型枠に取り付けるための開孔を開設し、前記収納部は、接続具の大きさに対応する収納穴を開設することを特徴とする、収納治具を提供するものである。
【０００７】
また、本願の第２考案は、本願の第１考案に記載の収納治具であって、前記接続具には、ボルトナットと、テーパーピンと、コッターピンと、からなる３種の接続具のうち、少なくとも一種を用いるものとし、前記収納部には、ボルトの螺子部に螺合可能な雌螺子穴であるボルトナット収納穴と、テーパーピンの最大径よりも小さい穴径とし、係合可能なテーパーピン収納穴と、コッターピンの最大径よりも小さい穴径とし、係合可能なコッターピン収納穴と、からなる３種の収納穴のうち、少なくとも一種を有することを特徴とする、収納治具を提供するものである。
【０００８】
また、本願の第３考案は、本願の第２考案に記載の収納治具において、テーパーピン収納穴の近傍に蓋部を有し、前記蓋部の一端には、収納部と回動自在に取り付ける回転軸を設け、前記蓋部の他端と前記収納部には、雌螺孔を設け、前記収納部と前記蓋部の間には、テーパーピンを前記テーパーピン収納穴に収納した際に前記テーパーピン収納穴から露出する部分の高さと略同等の間隔を設け、前記テーパーピンを収納後、前記蓋部と前記収納部の互いの雌螺孔をあわせて螺子によって螺合し、テーパーピンの抜出を防止することを特徴とする、収納治具を提供するものである。
【０００９】
また、本願の第４考案は、本願の第１考案から第３考案のいずれかに記載の収納治具を取り付けた、コンクリート打設用の組立式の型枠を提供するものである。
【考案の効果】
【００１０】
本考案は上記の課題を解決するものであり、以下のような効果を同時に得ることができる。
＜１＞足場から接続具が落下するおそれが無くなり、安全性が向上する。
＜２＞接続具の散乱、紛失、破損のおそれが無くなり、無駄を減らすことができ、工費の低減を図ることができる。
＜３＞集積・片付け作業が省略でき、型枠組立時の接続具の運搬作業が無くなるため、作業にかかる所要時間を短くすることができるほか、作業員の身体的な負担を低減することができる。
【考案を実施するための最良の形態】
【００１１】
以下、図面を参照しながら本考案の実施の形態について説明する。
【実施例】
【００１２】
＜１＞全体構成
本実施例では、大型消波ブロック（８０ｔ）の製造を例として、コンクリート打設用の組立式型枠に取り付ける本考案に係る収納治具を説明する。
【００１３】
＜２＞収納治具Ａ
収納治具Ａは、取付部１と、収納部２、蓋部３とより構成する。取付部１は、鋼板に、型枠に取り付けるための開孔を開設した部分であり、収納部２は、鋼板にボルトの螺子部に螺合可能な雌螺子穴であるボルトナット収納穴２２と、テーパーピンの最大径よりも小さい穴径であって係合可能なテーパーピン収納穴２１と、コッターピンの最大径よりも小さい穴径であって係合可能なコッターピン収納穴２３であって、３種とも、接続具の大きさに対応した収納穴を設けた部分である。
前記収納穴に接続具を係合することにより、簡便に収納することができる。
【００１４】
テーパーピン収納穴２１の近傍には、蓋部３を設けてもよい。図１、図２に示すように、前記蓋部３の一端には、治具本体の収納部２と回動自在に取り付ける回転軸５を設け、前記蓋部の他端には雌螺孔６を、前記収納部２には雌螺孔７を設けておく。
また、前記収納部２と前記蓋部３の間には、テーパーピン８を前記テーパーピン収納穴２１に収納した際に前記テーパーピン収納穴２１から露出する部分の高さと略同等の間隔を設けておく。
上記間隔を設けることで、テーパーピン８の収納後においても、テーパーピン８の露出部が蓋部３の回動運動を妨げることなく、蓋部３を収納部２に固定することができる。
前記テーパーピン８を収納した後に、蓋部３を回動させて前記蓋部３と前記収納部２の互いの雌螺孔６及び７の位置をあわせて雄ねじ４によって螺合することで、前記蓋部３が前記収納部２に固定され、重力や振動などの外力によるテーパーピン８の抜出を防止することができる。
【００１５】
＜３＞その他の収納治具
収納治具の全体形状や、収納穴の数については、収納治具を取り付ける位置や、取り付け位置の近辺で使用される接続具に対応した収納穴を各収納治具に設けることで、便宜性がより高まる。
例えば、図３、図４、図５に記載の他の実施例の収納治具Ｂ、Ｃ、Ｄのように、収納治具の形状及び、収納穴の種類、数量は、取り付け位置に対応した構成をとることができる。
【００１６】
＜４＞型枠への取り付け、及び接続具の収納
図６は、図２に示した収納治具Ａの、型枠１２への取り付けと接続具の収納の様子を示す図である。
型枠１２内のフランジ１３に収納治具Ａを、ボルト、ナット等の周知の方法によって固定するだけでよく、一度取り付けると型枠の組立、脱枠作業時にその都度収納治具Ａを取り付ける必要はない。
型枠１２の脱枠時には、取り外した接続具を収納治具Ａに収納し、再度型枠１２を組み立てる際には、収納治具Ａから接続具を取り出して使用することで、接続具の紛失、破損を防止し、確実かつ迅速に組立、脱枠作業を行うことができる。
【００１７】
図７は、収納治具Ａ、Ｂ、Ｃ、Ｄを取り付けた型枠１２の全体図である。
図７に示すように、大型消波ブロックの型枠１２の取付位置によって種々の形状をもつ収納治具を設置することができる。
【００１８】
本実施例における大型消波ブロック（８０ｔ）の製造においては、型枠１基当たりに用いる接続具の総重量は１７０ｋｇ程度であるが、本考案に係る収納治具を用いることで、接続具の散乱、紛失が減少し、作業にかかる所要時間、工費の低減が図れたほか、接続具の運搬作業が無くなり、作業員の身体的な負担が大幅に低減した。
【図面の簡単な説明】
【００１９】
【図１】本考案の収納治具Ａの斜視図。
【図２】本考案の収納治具の側面図。
【図３】本考案のその他の実施例の収納治具Ｂの斜視図。
【図４】本考案のその他の実施例の収納治具Ｃの斜視図。
【図５】本考案のその他の実施例の収納治具Ｄの斜視図。
【図６】本考案の収納治具の型枠への取り付けと接続具の収納の様子を示す図。
【図７】本考案の収納治具を取り付けた型枠の全体図。
【符号の説明】
【００２０】
１・・・取付部
２・・・収納部
２１・・テーパーピン収納穴
２２・・ボルトナット収納穴
２３・・コッターピン収納穴
３・・・蓋部
４・・・雄ねじ
５・・・回転軸
６・・・雌螺孔
７・・・雌螺孔
８・・・テーパーピン
９・・・ナット
１０・・ボルト
１１・・コッターピン
１２・・型枠
１３・・フランジ
Ａ・・・収納治具
Ｂ・・・収納治具
Ｃ・・・収納治具
Ｄ・・・収納治具
【図１】
0003112054.tif 000003
【図２】
0003112054.tif 000004
【図３】
0003112054.tif 000005
【図４】
0003112054.tif 000006
【図５】
0003112054.tif 000007
【図６】
0003112054.tif 000008
【図７】
0003112054.tif 000009